(57)【特許請求の範囲】
【請求項１】
被加熱調理容器を載置する透光性の天板と、前記天板の下方に位置し前記被加熱調理容器を加熱する加熱コイルと、前記加熱コイルの出力を制御する出力制御手段と、前記出力制御手段を冷却する送風手段と、前記加熱コイルの下方に位置し光線を発光する発光手段と、前記発光手段の光線を入射後広がるように伝播させて前記発光手段と反対側の端部で発光させ又は反射させることにより前記天板の上面側に表示する透光性の導光手段を有し、前記送風手段によって発生した冷却風は、前記出力制御手段を冷却した後に、前記発光手段を冷却し、その後前記導光手段と前記加熱コイルの間を通って流れることにより前記導光手段を冷却するように構成したことを特徴とする誘導加熱調理器。
【発明の詳細な説明】
【０００１】
【発明の属する技術分野】
本発明は一般家庭で使用する誘導加熱調理器に関するものである。
【０００２】
【従来の技術】
近年、誘導加熱調理器は安全な加熱調理器として注目されている。従来、この種の誘導加熱調理器の加熱状態を表示する方法として、出力設定部の周辺に電球あるいは半導体素子等を用いて点灯する表示部を設ける構成が一般的である。また、組込型の誘導加熱調理器などは、出力設定部と調理部が視覚的に分離されているため調理部の前方にも同様の表示部を設けるものもある。以下、その構成について図１７を参照にしながら説明する。
【０００３】
図に示すように、本体を構成するケース１と、被加熱調理容器２を載置する天板３と、天板３の下方に位置する加熱コイル４と、被加熱調理容器２の温度を検知する温度センサ５と、加熱コイル４の出力を制御する出力制御部６と、出力制御部６を冷却する送風機７と、電源の入／切を行う電源スイッチ８と、電源スイッチ８の入／切を表示する電源表示部９と、出力の設定を行う出力設定部１０と、出力の設定を表示する出力表示部１１と、天板３の前方部に位置する第２の出力表示部１２と、加熱を表示する加熱状態表示部１３にて構成される。
【０００４】
上記構成において、電源スイッチ８を動作させると電源表示部９が点灯し電源の入／切を表示する。さらに調理物の入った被加熱調理容器２を天板３に載置し、出力設定部１０を動作させると出力表示部１１が点灯し出力の設定を表示するとともに加熱が開始される。また、同時に第２の出力表示部１２が点灯し出力の設定を表示する。さらに温度センサ５にて検知した温度状態に応じて加熱状態表示部１３が点灯し加熱状態を表示する。
【０００５】
【特許文献１】
特開平７−３１２２８０号公報
【０００６】
【発明が解決しようとする課題】
この様な従来の誘導加熱調理器の加熱状態を表示する方法では、実際に調理を行う部分と表示する部分が視覚的に分離されており、視覚的な把握がしづらい。
【０００７】
特に、炎が見えるガス調理器に比べて誘導加熱調理器は出力される交番磁束が目に見えないため、視覚的な把握がしづらく、使い勝手が悪いという課題があった。
【０００８】
本発明は、安全性の高い誘導加熱調理器の加熱状態をガス調理器に近い感覚で表示することによって、さらに使い勝手性の良い誘導加熱調理器として提供することを目的とする。
【０００９】
【課題を解決するための手段】
上記課題を解決するために本発明は、被加熱調理容器を載置する透光性の天板と、前記天板の下方に位置し前記被加熱調理容器を加熱する加熱コイルと、前記加熱コイルの出力を制御する出力制御手段と、前記出力制御手段を冷却する送風手段と、前記加熱コイルの下方に位置し光線を発光する発光手段と、前記発光手段の光線を入射後広がるように伝播させて前記発光手段と反対側の端部で発光させ又は反射させることにより前記天板の上面側に表示する透光性の導光手段を有し、前記出力制御手段を冷却した後に、前記発光手段を冷却し、その後前記導光手段と前記加熱コイルの間を通って流れることにより前記導光手段を冷却するように構成したものである。これにより、視覚的に分離されていた加熱状態の表示を調理部近傍で表現することでき、ガス調理器に近い感覚で使用することができる。
【００１０】
【発明の実施の形態】
上記課題を解決するために本発明は、被加熱調理容器を載置する透光性の天板と、前記天板の下方に位置し前記被加熱調理容器を加熱する加熱コイルと、前記加熱コイルの出力を制御する出力制御手段と、前記出力制御手段を冷却する送風手段と、前記加熱コイルの下方に位置し光線を発光する発光手段と、前記加熱コイルの下方に位置し前記発光手段の光線を入射後広がるように伝播させて前記発光手段と反対側の端部で発光させ又は反射させることにより前記天板の上面側に表示する透光性の導光手段を有し、前記送風手段によって発生した冷却風は、前記出力制御手段を冷却した後に、前記発光手段を冷却し、その後前記導光手段と前記加熱コイルの間を通って流れることにより前記導光手段を冷却するように構成したものである。
【００１１】
このように、出力制御手段を冷却した後に、発光手段を冷却し、その後導光手段と加熱コイルの間を通って流れることにより導光手段を冷却するように構成することによって、発光手段の温度上昇による光度低下を防止し、導光手段に用いる樹脂等の変色、変形等を防止することができる。
【００１２】
【実施例】
（実施例１）
以下、本発明の実施例について図１〜図６を参照にしながら説明する。図１は、本発明の実施例を示す誘導加熱調理器の概略図で、本体を構成するケース１０１と、被加熱調理容器１０２を載置する透光性の耐熱ガラス等から成る天板１０３と、天板１０３の下方に位置し、被加熱調理容器１０２を加熱する加熱コイル１０４と、加熱コイル１０４への出力を制御する出力制御手段１０５と、加熱コイル１０４の下方に位置し、光線を発光する電球あるいは半導体素子等から成る発光手段１０６と、加熱コイル１０４の下方に位置し、発光手段１０６の光線を伝播する透光性のガラスあるいは樹脂等から成る導光手段１０７を有し、発光手段１０６を導光手段１０７の外周端部より内側に設け、導光手段１０７の略水平外周方向に向けて光線を伝播させ、導光手段１０７の外周部分を発光させるように構成した誘導加熱調理器であり、加熱コイル１０４と発光手段１０６は出力制御手段１０５とリード線等で接続されている。
【００１３】
以上のように構成された誘導加熱調理器について、その作用を説明する。天板１０３に被加熱調理容器１０２を載置し加熱を開始すると、加熱コイル１０４に出力制御手段１０５から出力されると同時に発光手段１０６が発光するよう信号を出力する。発光した光線は導光手段１０７を伝播し、外周部分を発光させる。この発光した光線は、例えば図２（ａ）〜（ｃ）に示すように、透光性の耐熱ガラス等からなる天板１０３を透過し、加熱状態を天板１０３の上面側に表示するものである。
【００１４】
このように本発明の実施例によれば、導光手段１０７の外周端部を発光することによって、加熱状態を天板１０３の上面側に表示することができる。従って、視覚的に分離されていた加熱状態の表示を調理部近傍で表現することでき、ガス調理器に近い感覚で使用することができる。
【００１５】
また、導光手段１０７及び発光手段１０６を加熱コイル１０４の下方に設けることによって、発光手段１０６の直上に光線が漏れることを防止することができる。なお、導光手段１０７に樹脂等を用いる場合、被加熱調理容器１０２等からの輻射、伝導、伝達による熱影響での変色・変形等の防止することができる。
【００１６】
なお、電球あるいは半導体発光素子等から成る発光手段１０６においては、強磁界の影響による誤動作あるいは自己発熱での信頼性の低下等を防止することができる。なお、発光手段１０６に用いる半導体素子等の温度上昇にともなう光度の低下等を防止することができる。
【００１７】
なお、本実施例では加熱状態の表示の形態を円環状あるいは半円環状あるいは点線状としたが、天板１０３を介して表示するものであれば特に限定しない。また、天板１０３は全面において透光性である必要はなく、不透明な部分があっても同様な効果を得ることができる。
【００１８】
また、他の実施例として図３に示すように透光性のガラスあるいは樹脂等から成る導光手段１０７を円板状にて構成し、中央部に開口部を設け、導光手段１０７の開口部に発光手段１０６を配置し、導光手段の外周に向けて光線を伝播させるものである。
【００１９】
以上のように構成された誘導加熱調理器について、その作用を説明する。発光手段１０６に用いる電球あるいは半導体素子等の点光源は、通常ある指向角度をもって広がるものが大半であり、例えば発光手段１０６に対して平行平板状に写し出された光線の光度は不均一となる。これは、光線各々の平行平板に対する直線距離が異なるためである。
【００２０】
しかしながら、本発明の実施例によれば、発光手段１０６から導光手段１０７の外周端部の直線距離は同一半径で一定となり、光度の均一な表示を得ることができる。
【００２１】
なお、導光手段１０７の外周端部に拡散材を塗布あるいは表面を乱反射するように処理するか、別部材の受光材を一体あるいは固定しても同様の効果が得られるものである。また、発光手段１０６の個数については設計者が任意に設定できるものである。
【００２２】
また、他の実施例として図４に示すように透光性のガラスあるいは樹脂等から成る導光手段１０７の内周の肉厚を厚く、外周に向かって薄くなるように構成し、導光手段１０７の上面あるいは下面あるいは両面に、不透明な樹脂あるいは板金あるいは鏡体等から成る反射手段１０８を設けたものである。
【００２３】
以上のように構成された誘導加熱調理器について、その作用を説明する。前記実施例でも述べたように発光手段１０６に用いる電球あるいは半導体素子等の点光源は、通常ある指向角度をもって広がるものが大半である。したがって、導光手段１０７の入射面は、発光手段１０６の指向角度に応じた肉厚が必要となる。発光手段１０６の指向角度に対して導光手段の入射面の肉厚が薄い場合、肉厚よりも外れた光線は全て損失することになる。
【００２４】
しかしながら、発光手段１０６の指向角度が広い場合に、導光手段１０７の肉厚を全て均一に厚くすることは、合理的ではなく、光線を伝播する外周に向かって肉厚を薄くなるように構成することが考えられる。また、光線は直進する性質を持つため、肉厚を薄くするために設けた傾斜面を突き抜けて光線を損失することになる。
【００２５】
しかしながら、本発明の実施例のように透光性のガラスあるいは樹脂等から成る導光手段１０７の内周の肉厚を厚く、外周に向かって薄くなるように構成することによって入射時の光線の損失を低減するとともに合理的な構成とすることができる。また、導光手段１０７の上面あるいは下面あるいは両面に、不透明な樹脂あるいは板金あるいは鏡体等から成る反射手段１０８を設けることによって、伝播中の光線の損失を低減し、より損失の少ない光度の高い表示を得ることができる。
【００２６】
また、他の実施例として図５に示すように透光性のガラスあるいは樹脂等から成る導光手段１０７の外周端部に照射面としてＣカット（光の伝播する方向に対して４５゜）を設けて、伝播してきた光線を全反射させるものである。
【００２７】
以上のように構成された誘導加熱調理器について、その作用を説明する。電球あるいは半導体素子等から成る発光手段１０６の光線を透光性のガラスあるいは樹脂等から成る導光手段１０７の端部より入射すると導光手段１０７を伝播した光線は発光手段１０６の反対側の端部で発光する。この端部に照射面としてＣカット（光の伝播する方向に対して４５゜）を構成し、伝播してきた光線を全反射させることによって調理面である天板１０３方向に光線を案内することができる。
【００２８】
このように本発明の実施例によれば、天板１０３上面側により明確な表示を行うことができる。
【００２９】
また、他の実施例として図６に示すように透光性のガラスあるいは樹脂等から成る導光手段１０７の外周端部に設けたＣカットと平行に、不透明な樹脂あるいは板金あるいは鏡体等から成る反射手段１０８を配置したものである。
【００３０】
以上のように構成された誘導加熱調理器について、その作用を説明する。導光手段１０７を伝播した光線は導光手段１０７の外周端部に設けたＣカット（光の伝播する方向に対して４５゜）にて、伝播してきた光線を全反射させる。しかし、ものづくりのばらつき等を考えると、Ｃカットより光線が損失することも考えられる。したがって、Ｃカットと平行に不透明な樹脂あるいは板金あるいは鏡体等から成る反射手段１０８を配置し、損失した光線を調理面である天板１０３方向に光線を案内する。
【００３１】
このように本発明の実施例によれば、ものづくりのばらつき等によって損失した光線も、反射手段１０８によって調理面である天板１０３方向に光線を案内することができ、より明確な表示を行うことができる。
【００３２】
なお、本実施例では反射手段を配置する構成としたが、Ｃカット面に凹凸面をもうけて乱反射させる、あるいは拡散材を塗布、あるいは別部材の受光材を一体あるいは固定しても同様の効果が得られるものである。
【００３３】
また、他の実施例として図７に示すように透光性のガラスあるいは樹脂等から成る導光手段１０７の外周端部に設けたＣカットの上面に、透光性の耐熱ガラス等から成る天板１０３に対して垂直方向に立ち上げた壁部１０９を設け、壁部１０９の上面部に伝播された光線を乱反射あるいは拡散する表示手段１１０を設けたものである。
【００３４】
以上のように構成された誘導加熱調理器について、その作用を説明する。Ｃカットによる全反射にて天板１０３方向に案内された光線は、導光手段１０７が加熱コイル１０４の下方に位置するため、天板１０３より奥まったように見える。
【００３５】
しかしながら、導光手段１０７の上面に壁部を設けて天板１０３の方向に光線を案内し、壁部１０９の上面部に光線を乱反射あるいは拡散させる表示手段１１０を設けることによって、より天板１０３に近接した位置で表示することができる。表示手段１１０は、凹凸面をもうけて乱反射させる、あるいは拡散材を塗布、あるいは別部材の受光材を一体あるいは固定するものである。
【００３６】
このように本発明の実施例によれば、より天板１０３に近接した位置で表示することができ、視認性が向上する。
【００３７】
なお、この壁部１０９の上面位置は、天板１０３に密着しても同様の効果が得られるものである。また、この壁部１０９の上面の形状は傾斜を設けたり、曲面状にしたり設計者が任意に変えられるものである。また、天板１０３の上面あるいは下面に同様の凹凸面あるいは拡散する処理を設けても同様の効果が得られるものである。
【００３８】
（実施例２）
以下、本発明の実施例について図８及び図９を参照にしながら説明する。図８は、本発明の実施例を示す誘導加熱調理器の概略図で、本体を構成するケース２０１と、被加熱調理容器２０２を載置する透光性の耐熱ガラス等から成る天板２０３と、天板２０３の下方に位置し、被加熱調理容器２０２を加熱する加熱コイル２０４と、加熱コイル２０４の下方に位置し、光線を発光する電球あるいは半導体素子等から成る発光手段２０６と、加熱コイル２０４の下方に位置し、発光手段２０６の光線を伝播する透光性のガラスあるいは樹脂等から成る導光手段２０７を有し、発光手段２０６の光線を入射する導光手段２０７の境界部分に、発光手段に対して凹状の曲面を設けたものである。
【００３９】
以上のように構成された誘導加熱調理器について、その作用を説明する。電球あるいは半導体素子等から成る発光手段２０６による光線は、通常ある指向角度をもって広がるものが大半であり、表示に用いる範囲はこの指向角度によって決まる。例えば実施例１記載の発明のように円板状の導光手段を構成する場合は、全角（３６０゜）／指向角度によって表示範囲が決まるが、その指向角度において９０゜を越えるものはまれであり、複数個の発光手段２０６が必要となる。しかし、指向角度が大きい場合、導光手段２０７への入射時の光の損失が大きくなる。
【００４０】
なお、直接光を表示として用いるのではなく導光手段２０７を用いて光を伝播させる場合、伝播の課程で光線を損失するため、発光手段２０６に相当量の光度が必要となる。しかし、相当量の光度得るためには、必然的に指向角度は小さくなる。また、通常光線は２つの媒質の境界を通過するとき光線の入射する角度に対して屈折し、入射する角度（入射角）に対して負の性質（屈折角）を示すため、さらに発光手段２０６の数が増えることとなる。
【００４１】
このように、入射時の光線の損失、伝播課程での光線の損失、表示するための光度低下、光線の屈折等を鑑みると、光度の高い範囲の広い表示を得るためには相当数の発光手段２０６が必要となる。
【００４２】
しかしながら、導光手段２０７の境界部分に、発光手段２０６に対して凹状（境界の性質として凸状の場合光線を集め、凹状の場合光線を拡げる性質がある。）の曲面を設けることによって入射角に対して屈折角を大きくすることで、指向角度の小さい発光手段２０６を使用しても、光度の高い範囲の広い表示を得ることができる。なお、この凹状の曲面の半径は設計者が任意に設定できるものである。
【００４３】
なお、図８は、光線の伝播方向を導光手段の外周端分より内側から外周方向としたが、図９（ａ）のように導光手段２０７の外周に発光手段２０６を設けて光線の伝播方向を外周から内側とするか、あるいは、図９（ｂ）のように導光手段２０７の下方に発光手段２０６を設けて光線の伝播方向を下方から上方としても同様の効果が得られるものである。
【００４４】
（参考例１）
以下、本発明の参考例について図１０及び図１１及び図１２を参照にしながら説明する。
【００４５】
図１０は、本発明の参考例を示す誘導加熱調理器の概略図で、本体を構成するケース３０１と、被加熱調理容器３０２を載置する透光性の耐熱ガラス等から成る天板３０３と、天板３０３の下方に位置し、被加熱調理容器３０２を加熱する加熱コイル３０４と、加熱コイル３０４を載置する耐熱樹脂等から成るコイルベース３１１と、加熱コイル３０４の下方に位置し、光線を発光する電球あるいは半導体素子等から成る発光手段３０６と、加熱コイル３０４の下方に位置し、発光手段３０６の光線を伝播する透光性のガラスあるいは樹脂等から成る導光手段３０７を有し、導光手段３０７をコイルベース３１１にネジ止め、接着等にて固定している。
【００４６】
以上のように構成された誘導加熱調理器について、その作用を説明する。導光手段３０７によって天板３０３の上面側に誘導加熱調理器の加熱状態を表示するものであり、加熱領域と導光手段３０７による表示の位置関係が重要になってくる。表示関係がずれている場合、加熱領域に対する被加熱調理容器３０２の載置する位置がずれ、加熱効率が低くなったり、加熱分布の不均一といった不具合が予測される。しかしながら、導光手段３０７をコイルベース３０９にネジ止め、接着等にて固定することによって、加熱領域と導光手段３０７による表示との位置を規制することができる。
【００４７】
また他の参考例として図１１に示すように、加熱コイル３０４を載置するコイルベースを導光手段３０７にて兼ねることが考えられる。
【００４８】
図１１の構成のように被加熱調理容器３０２の加熱を行う加熱コイル３０４を直接、導光手段３０７に載置することによって、加熱領域と導光手段３０７による表示との位置を規制することができるとともに、構成を簡単にすることができる。
【００４９】
なお、導光手段３０７に樹脂等を用いる場合には、加熱コイル３０４の自己発熱あるいは被加熱調理容器３０２等からの輻射、伝導、伝達による熱影響で変色・変形等の不具合が予測されるため、図１２に示すように加熱コイル３０４との接触面にリブを設けて接触面積を減少し、熱影響を緩和する構成を取ることも考えられる。なおこのリブは、耐熱絶縁材料等の別部材にて構成しても同様の効果が得られるものである。
【００５０】
（参考例２）
以下、本発明の参考例について図１３及び図１４を参照にしながら説明する。図１３は、本発明の参考例を示す誘導加熱調理器の概略図で、本体を構成するケース４０１と、被加熱調理容器４０２を載置する透光性の耐熱ガラス等から成る天板４０３と、天板４０３の下方に位置し、被加熱調理容器４０２を加熱する加熱コイル４０４と、加熱コイル４０４を載置するコイルベース４１１と、加熱コイル４０４の下方に位置し、光線を発光する電球あるいは半導体素子等から成る発光手段４０６と、加熱コイル４０４の下方に位置し、発光手段４０６の光線を伝播する透光性のガラスあるいは樹脂等から成る導光手段４０７を有し、発光手段４０６を導光手段４０７にネジ止め、接着等にて固定した誘導加熱調理器である。
【００５１】
以上のように構成された誘導加熱調理器について、その作用を説明する。実施例１でも述べたように電球あるいは半導体素子等から成る発光手段４０６による光線は、通常ある指向角度をもって広がるものが大半であり、発光手段４０６と導光手段４０７の位置ずれによって、入射時に光線を損失し、天板４０３を介して表示を行う場合は光量が少なく表示が見ずらくなったり、光度の不均一によるムラができたりという不具合が予測される。
【００５２】
しかしながら、発光手段４０６を導光手段４０７にネジ止め、接着等にて固定することによって、導光手段４０７への入射位置を規制することができ、入射時の光線の損失を最小限に押さえることができる。
【００５３】
なお、発光手段４０６の取付方向としては、図１３に示すように導光手段４０７に対して平行に発光手段４０６の基板をネジ止め、あるいは、はめ込む構成がものづくりの上で簡単ではあるが、図１４（ａ）に示すように発光手段４０６の基板は導光手段４０７に対して平行で電球あるいは半導体素子等のみ、導光手段４０７の光線を伝播する方向と同一方向に構成するか、あるいは図１４（ｂ）に示すように発光手段４０６の基板は導光手段４０７に対して垂直で電球あるいは半導体素子等が、導光手段４０７の光線を伝播する方向と同一方向に構成することによって、更に入射時の光線の損失を減少することができる。
【００５４】
（実施例３）
以下、本発明の実施例について図１５を参照にしながら説明する。図１５は、本発明の実施例を示す誘導加熱調理器の概略図で、本体を構成するケース５０１と、被加熱調理容器５０２を載置する透光性の耐熱ガラス等から成る天板５０３と、天板５０３の下方に位置し、被加熱調理容器５０２を加熱する加熱コイル５０４と、加熱コイル５０４の出力を制御する出力制御手段５０５と、出力制御手段５０５を冷却するファン等から成る送風手段５１２と、出力制御手段５０５に送風する経路を構成したダクト５１３と、加熱コイル５０４の下方に位置し、光線を発光する電球あるいは半導体素子等から成る発光手段５０６と、加熱コイル５０４の下方に位置し、発光手段５０６の光線を伝播する透光性のガラスあるいは樹脂等から成る導光手段５０７を有し、出力制御手段５０５を冷却した後に、発光手段５０６及び導光手段５０７を冷却するように構成している。
【００５５】
以上のように構成された誘導加熱調理器について、その作用を説明する。送風手段５１２によって発生した冷却風は、ダクト５１３を経由して出力制御手段５０５を冷却する。図１５のようにダクトの出口形状を発光手段５０６及び導光手段５０７の方向に向けることによって、冷却風の流れを示す矢印のように、出力制御手段５０５を冷却した後、発光手段５０６を冷却し、導光手段５０７と加熱コイル５０４の間を通って天板５０３の方向に流れる。
【００５６】
したがって、被加熱調理容器５０２等からの輻射、伝導、伝達によって伝わる熱影響あるいは、加熱コイル５０４の自己発熱による熱影響等によって、発光手段５０６に用いる半導体発光素子の光度低下、導光手段５０７に用いる樹脂の変色、変形等を防止することができる。
【００５７】
（実施例４）
以下、本発明の実施例について図１６を参照にしながら説明する。図１６は、光線を発光する電球あるいは半導体素子等から成る発光手段６０６と、発光手段６０６の光線を伝播する透光性のガラスあるいは樹脂等から成る導光手段６０７を有し、導光手段６０７をブロック化したものである。
【００５８】
以上のように構成された誘導加熱調理器について、その作用を説明する。導光手段６０７は発光手段６０６の指向角度に応じて、ブロック化されたものである。ブロック化したものを複数組み合わせた場合、図のように空間を確保することができる。実施例３でも述べたように、この空間は冷却の際に非常に有利であり冷却性能を向上させることができる。
【００５９】
また、ブロック化することによって、その一部が故障しても、ブロックのみを交換することで修理が迅速・簡単に行うことができる。
【００６０】
【発明の効果】
本発明によれば、被加熱調理容器等からの輻射、伝導、伝達によって伝わる熱影響あるいは、加熱コイルの自己発熱による熱影響等によって、発光手段に用いる半導体発光素子の光度低下、導光手段に用いる樹脂の変色、変形等を防止することができる。また、発光手段の発光する光線を入射後広がるように伝播させて前記発光手段と反対側の端部で発光させ又は反射させることにより前記天板の上面側に表示する導光手段を有することによって範囲の広い表示を得ることができる。また、発光手段と導光手段の発光する端部の距離を一定とすれば範囲の広い光度の均一な表示を得ることができる。
【図面の簡単な説明】
【図１】  本発明の実施例１を示す誘導加熱調理器の断面図
【図２】  （ａ）本発明の実施例１を示す誘導加熱調理器の天板の一つの状態を示す図
（ｂ）同、誘導加熱調理器の天板の他の状態を示す図
（ｃ）同、誘導加熱調理器の天板のさらに他の状態を示す図
【図３】  本発明の実施例１を示す誘導加熱調理器の導光手段の斜視図
【図４】  本発明の実施例１を示す誘導加熱調理器の断面図
【図５】  本発明の実施例１を示す誘導加熱調理器の断面図
【図６】  本発明の実施例１を示す誘導加熱調理器の断面図
【図７】  本発明の実施例１を示す誘導加熱調理器の断面図
【図８】  （ａ）本発明の実施例２を示す誘導加熱調理器の分解斜視図
（ｂ）同、誘導加熱調理器の導光手段の部分拡大図
【図９】  （ａ）本発明の実施例２を示す誘導加熱調理器の導光手段を示す部分拡大図
（ｂ）同、誘導加熱調理器の導光手段の他の形態を示す部分拡大図
【図１０】  本発明の参考例１を示す誘導加熱調理器の断面図
【図１１】  本発明の参考例１を示す誘導加熱調理器の断面図
【図１２】  本発明の参考例１を示す誘導加熱調理器の導光手段を示す部分拡大図
【図１３】  本発明の参考例２を示す誘導加熱調理器の断面図
【図１４】  （ａ）本発明の参考例２を示す誘導加熱調理器の導光手段近傍を示す部分拡大図
（ｂ）同、誘導加熱調理器の導光手段近傍の他の形態を示す部分拡大図
【図１５】  本発明の実施例３を示す誘導加熱調理器の断面図
【図１６】  本発明の実施例４を示す誘導加熱調理器の要部拡大図
【図１７】  従来例を示す誘導加熱調理器の斜視図
【符号の説明】
１０２、２０２、３０２、４０２、５０２、６０２    被加熱調理用器
１０３、２０３、３０３、４０３、５０３、６０３    天板
１０４、２０４、３０４、４０４、５０４、６０４    加熱コイル
１０６、２０６、３０６、４０６、５０６、６０６    発光手段
１０７、２０７、３０７、４０７、５０７、６０７    導光手段
１０８    反射手段
１０９    壁部
１１０    表示手段
３１１、４１１    コイルベース
５０５    出力制御手段
５１２    送風手段
【図１】
0003786078.tif 000002
【図２】
0003786078.tif 000003
【図３】
0003786078.tif 000004
【図４】
0003786078.tif 000005
【図５】
0003786078.tif 000006
【図６】
0003786078.tif 000007
【図７】
0003786078.tif 000008
【図８】
0003786078.tif 000009
【図９】
0003786078.tif 000010
【図１０】
0003786078.tif 000011
【図１１】
0003786078.tif 000012
【図１２】
0003786078.tif 000013
【図１３】
0003786078.tif 000014
【図１４】
0003786078.tif 000015
【図１５】
0003786078.tif 000016
【図１６】
0003786078.tif 000017
【図１７】
0003786078.tif 000018